(57)【特許請求の範囲】
【請求項１】
グローバルポジショニングシステムを用いて撮影場所を検出する位置検出手段と、撮影方向を検出する方向検出手段と、
日時情報出力手段と、
撮影構図決定のガイドとなる複数種類のターゲットマークと、撮影構図リストとを記憶する記憶手段と、
前記撮影構図リストを撮影位置、方向、および時間に応じて表示し、前記表示された撮影構図リストのうち撮影者の第１の操作によって選択された撮影構図リストに応じて前記記憶手段に記憶された複数のターゲットマークの中から被写体観察画面内に表示するターゲットマークを組み合わせて設定するとともに撮影者の第２の操作に応じて当該被写体観察画面内に表示するターゲットの数を変更可能とし、撮影後または電源を切ることによって当該ターゲットマークを消灯する表示設定手段とを有することを特徴とするカメラ。
【請求項２】
前記日時情報出力手段は、日付および時刻のうち少なくとも一方をカウントする時計を用いて、日付および時刻のうち少なくとも一方を示す情報を出力することを特徴とする請求項１に記載のカメラ。
【請求項３】
撮影時におけるカメラ本体の姿勢を検出する姿勢検出手段と、この姿勢検出手段の検出結果に応じて、撮影構図決定のガイドとなるターゲットマークの向きを変えて被写体観察画面内に表示する表示設定手段とを有することを特徴とする請求項１または２に記載のカメラ。
【請求項４】
前記表示設定手段は、カメラ本体の状態が所定状態になることにより、前記被写体観察画面内の前記ターゲットマークの表示を解除することを特徴とする請求項１から３のいずれか一つに記載のカメラ。
【発明の詳細な説明】
【０００１】
【発明の属する技術分野】
本発明は、撮影構図決定のガイドとなるターゲットマークの表示内容を容易に変更設定することができ、この変更設定されたターゲットマークに応じた最適な撮影条件により撮影を行うことができるカメラに関するものである。
【０００２】
【従来の技術】
ファインダーに人物を表す形状に形成されたターゲットマークを表示して、撮影者がこのターゲットマークに被写体像を重ねて撮影を行うことで、最適な撮影構図で撮影を行うことができるカメラがある。
【０００３】
図１１にこのカメラのファインダーを示す。ファインダー４１には、樹脂により人物を表す形状に形成されたターゲットマーク４２が設けられている。
【０００４】
上述したカメラは、撮影者がファインダーに表示されたターゲットマークと被写体像が重なるように撮影構図や被写体までの距離を調節することで、良好な撮影を行うことができる。特に、第３者にカメラを渡して自分を撮影してもらうようなときには非常に便利である。
【０００５】
一方、特開平８−２６２５２７号公報においては、先に撮影を行った撮影条件を記憶させておき、次に撮影を行う際に予め記憶しておいた撮影条件を用いて同じ撮影を行うことができるカメラが提案されている。
【０００６】
【発明が解決しようとする課題】
しかし、上述したファインダーにターゲットマークが表示されているカメラにおいては、ターゲットマークが絶えずファインダーに表示されているため、ターゲットマークを使用せずに他の構図で撮影を行う際に、ターゲットマークが邪魔となる。ここで、外部操作により、ターゲットマークをファインダーに表示させたり、非表示にさせたりすれば、ターゲットマークが邪魔になることはない。しかし、撮影構図に応じてターゲットマークを表示させたり、非表示とさせたりする操作を行うのは面倒である。
【０００７】
また、特開平８−２６２５２７号公報で提案されているカメラは、先に撮影を行った撮影構図とは異なる撮影構図で第３者に撮影してもらう場合には、使用されることがない。
【０００８】
そこで、本発明においては、ターゲットマークの取り扱いを簡単にして、撮影者が快適に良好な撮影を行え、また、様々な構図に応じたターゲットマークを表示することができるカメラを提供する。
【００１０】
本発明であるカメラは、グローバルポジショニングシステムを用いて撮影場所を検出する位置検出手段と、撮影方向を検出する方向検出手段と、日時情報出力手段と、撮影構図決定のガイドとなる複数種類のターゲットマークと、撮影構図リストとを記憶する記憶手段と、前記撮影構図リストを撮影位置、方向、および時間に応じて表示し、前記表示された撮影構図リストのうち撮影者の第１の操作によって選択された撮影構図リストに応じて前記記憶手段に記憶された複数のターゲットマークの中から被写体観察画面内に表示するターゲットマークを組み合わせて設定するとともに撮影者の第２の操作に応じて当該被写体観察画面内に表示するターゲットの数を変更可能とし、撮影後または電源を切ることによって当該ターゲットマークを消灯する表示設定手段とを有することを特徴とする。
【００１３】
【発明の実施の形態】
（第１実施形態）
図１に本発明の第１実施形態であるカメラに内蔵された電気回路の構成を示す。１１はマイクロコンピュータ（以下、マイコンと称す。本願請求項に記載の表示設定手段）であり、以下の各回路の動作を制御する。
【００１４】
１１０は露出の補正を行うために操作される露出補正部である。１１１はストロボモード入力部であり、マイコン１１に対して撮影者が選択したストロボモードの信号を送る。ストロボモードとしては、例えば、撮影時にストロボ発光を行わないストロボオフモード、強制的にストロボ発光を行うストロボオンモード、被写体輝度や光線の方向等でストロボ発光させるか否かを判断するストロボオートモードといったものがある。また、このストロボモードにおいては、ストロボ発光時にいわゆる赤目緩和機能を動作させるか否かを判断することもできる。
【００１５】
１１２は撮影モード入力部であり、マイコン１１に対して撮影者が選択した撮影モードの信号を送る。撮影モードとしては、例えば、動き回る被写体を撮影するときに適したモードであるスポーツモード、人物をアップで撮影するのに適したモードであるポートレートモード、被写体をクローズアップして撮影するのに適したモードであるマクロモード、夜景を撮影するのに適したモードである夜景モードといったものがある。
【００１６】
１１３は２段階の押圧操作が行われるレリーズボタンである。１１４は電源をオン・オフ操作するためのカメラメインスイッチである。カメラメインスイッチ１１４をオン操作することでマイコン１１に入力信号が送られ、マイコン１１の制御により撮影鏡筒が沈胴位置から撮影可能な位置まで繰り出すとともに、撮影鏡筒の前面に配置されたレンズバリアが開く。また、マイコン１１の制御により後述する振動検出部１９が起動する。
【００１７】
１１５はＡＦ（オートフォーカス）駆動部であり、測距結果をもとにマイコン１１からの信号を受けて、撮影鏡筒の全部又は一部を駆動して撮影光学系の焦点調整を行う。
【００１８】
１１６はファインダー表示部（本願請求項に記載の被写体観察画面）であり、撮影構図決定のガイドとなるターゲットマークを表示する。ファインダー表示部１１６は、図２に示すように対物窓１１８ａと接眼窓１１８ｂとで挟まれており、ファインダー表示部１１６の表面に、人物を表す形状に形成されたターゲットマーク１１６ａ〜１１６ｃが表示されるようになっている。また、ファインダー表示部１１６には、ターゲットマーク１１６ａ〜１１６ｃのそれぞれに対応した測距ポイント１３ａ〜１３ｃが設けられている。
【００１９】
１１７はターゲットマークの表示内容を変更するために操作される構図選択部である。構図選択部１１７を操作することにより、ファインダー表示部１１６に、ターゲットマーク１１６ａ〜１１６ｃのうちいずれか１つ又は２つを表示したり、すべてを表示したり、すべてを非表示としたりすることができる。すなわち、ファインダー表示部１１６に表示される撮影構図内でのターゲットマークの位置や数を変更することができる。なお、構図選択部１１７として、ボタンやダイヤル等を用いることができる。
【００２０】
１２は測光部であり、マイコン１１からの指令に応じて被写体輝度を測定し、マイコン１１へ測光結果を送る。
【００２１】
１３は測距部であり、マイコン１１からの指令に応じて被写体までの距離を測定し、マイコン１１に対して測距結果を送る。測距部１３は、構図選択部１１７の操作により、ファインダー表示部１１６に表示されたターゲットマーク内に位置する測距ポイントを基準にして被写体までの距離を測定する。例えば、ターゲットマーク１１６ｂがファインダー表示部１１６に表示された場合には、測距ポイントは１３ｂとなり、この測距ポイント１３ｂを基準にして被写体までの距離が測定される。
【００２２】
ここで、ターゲットマーク１１６ａ〜１１６ｃをファインダー表示部１１６に表示させないで撮影を行う場合には、まず測距ポイント１３ａ〜１３ｃのそれぞれにおいて被写体までの距離を測定して、この測定結果の中で被写体がいる可能性の高い測定結果をもとにピント調整を行う。一方、ファインダー表示部１１６にターゲットマーク１１６ａ〜１１６ｃを表示させて撮影を行う場合には、ターゲットマークを表示した位置に被写体がいるので、このターゲットマークに対応する測距ポイントをもとにして正確な測距を行うことができる。このとき、ファインダー表示部１１６に表示されないターゲットマークに対応する測距ポイントにおいては、測距を止める。これにより、露光時間の演算処理に要する時間を短縮できるため、レリーズボタン操作から撮影が行われるまでのタイムラグを短くすることができるとともに、電気の消耗を防ぐことができる。
【００２３】
１４はマイコン１１の指令に応じてシャッターの開閉駆動を行うシャッター駆動部である。１５は焦点距離を変更するために操作されるズーム操作部である。撮影者がズーム操作部１５を操作することで、操作信号がマイコン１１に送られる。
【００２４】
１６はズーム駆動部であり、マイコン１１からの指令を受けて撮影レンズ群を光軸方向に進退させることにより、焦点距離を変更させる。１７は閃光部であり、マイコン１１からの指令を受けて、閃光発光を行う。
【００２５】
１８は撮影時のブレ補正を行うために操作される防振スイッチであり、この操作信号はマイコン１１に送られる。１９は振動検出部であり、カメラ本体の振れを測定し、この測定結果をマイコン１１に送る。マイコン１１は、振動検出部１９からの測定結果を受けてカメラが手持ちなのか、三脚や地面に固定されているのかを判断する。
【００２６】
次に、本実施形態のカメラにおけるマイクロコンピュータ１１の動作について、図３に示すフローチャートを用いて説明する。
【００２７】
ステップ１００１では、構図選択部１１７が操作されるまで待機しており、構図選択部１１７が操作されるとステップ１００２に進む。ステップ１００２では、構図選択部１１７の操作に応じて選択されたターゲットマークがファインダー表示部１１６に表示される（構図表示）。ここで、撮影者の構図選択部１１７の操作により、図２に示すターゲットマーク１１６ａ〜１１６ｃのうちいずれか１つ又は２つが表示されたり、すべてのターゲットマークが表示されたり、すべてのターゲットマークが消灯したりする。
【００２８】
ステップ１００３では、レリーズボタン１１３が半押しされた状態（Ｓ１）にあるかを検知する。レリーズボタン１１３が半押しされた状態にある場合には、ステップ１００４に進み、レリーズボタン１１３が半押しされていない状態にある場合には、ステップ１００１に戻る。ここで、レリーズボタン１１３が半押しされることで、構図選択部１１７の操作により選択したターゲットマークの確定を行う。
【００２９】
ステップ１００４では、測光部１２、測距部１３より情報入力することによって、被写体輝度、被写体までの距離に関する情報を得、既知のフィルム感度と演算して露出値を決定するとともに、閃光発光を行うか否かを決定する。このときの測距ポイントは、構図選択部１１７の操作により選択されたターゲットマークに対応した位置となる。
【００３０】
ステップ１００５では、測距部１３の測距結果をもとに、被写体像が選択されたターゲットマークと重なっているか否かを判断する。そして、被写体像が選択されたターゲットマークと重なっていないと判断された場合、つまり、選択されたターゲットマークに対して被写体像が大きかったり小さかったりする場合には、ズーム駆動部１６を駆動して、被写体像とターゲットマークの大きさが一致するように撮影レンズを光軸方向に進退させる。
【００３１】
ステップ１００６では、被写体像と選択されたターゲットマークが重なっているか否かを判別する。被写体像がターゲットマークに重なっている場合には、ステップ１００７に進む。また、被写体像がターゲットマークに重なっていない場合、つまり、ステップ１００５における撮影レンズを光軸方向に進退させても被写体像を選択されたターゲットマークに重ねることができない場合にはステップ１０１１に進む。
【００３２】
ステップ１００７では、レリーズボタン１１３が完全に押し込まれた状態（Ｓ２）にあるかを検知する。レリーズボタン１１３が完全に押し込まれた状態にある場合には、ステップ１００８に進み、レリーズボタン１１３が完全に押し込まれていない状態にある場合には、ステップ１０１３に進む。
【００３３】
ステップ１００８では、ステップ１００４において設定された撮影条件の下で、撮影が行われる。ステップ１００９では、撮影が完了するまで待機し、撮影が完了するとステップ１０１０に進む。
【００３４】
ステップ１０１０では、選択されたターゲットマークを消灯して撮影が完了したことを撮影者に知らせるとともに、測距ポイントと焦点距離の設定を解除してステップ１００１に戻る。ここで、複数コマの撮影が完了したときに、選択されたターゲットマークを消灯するとともに、測距ポイントおよび焦点距離の設定を解除するようにしてもよい。
【００３５】
一方、カメラ本体の電源を切ることによっても、ターゲットマークが消灯するとともに、測距ポイントおよび焦点距離の設定が解除される。このように、撮影が完了するとターゲットマークが消灯するので、ターゲットマークを消灯させるための面倒な操作が不要となる。
【００３６】
ステップ１００６からステップ１０１１に進むと、ステップ１０１１では選択されたターゲットマークを点滅させる。これは、選択されたターゲットマークに被写体像が重なっておらず、撮影レンズを光軸方向に進退させてもこれを補正することができない状態であることを撮影者に警告するためにターゲットマークを点滅させる。なお、ターゲットマークを点滅させる以外にも、例えば「もっと被写体に近づいてください」等の音声を発することにより警告するようにしてもよい。
【００３７】
ステップ１０１２では、レリーズボタン１１３が半押しされた状態（Ｓ１）にあるかを検知する。レリーズボタン１１３が半押しされた状態にある場合には、ステップ１００６に戻り、レリーズボタン１１３が半押しされていない状態にある場合には、ステップ１００１まで戻る。ここで、レリーズボタン１１３を半押ししていてもターゲットマークと被写体像が重なっていない場合には、ステップ１００７には進まないため、撮影が禁止された状態となる。これにより、不適切な構図で撮影が行われるのを防止することができる。
【００３８】
ステップ１００７からステップ１０１３に進むと、ステップ１０１３では、レリーズボタン１１３が半押しされた状態（Ｓ１）にあるかを検知する。レリーズボタン１１３が半押しされた状態にある場合にはステップ１００７に戻り、レリーズボタン１１３が半押しされていない状態にある場合には、ステップ１００１に戻る。
【００３９】
上述したマイコン１１の動作の途中で、焦点距離、測距位置、露光時間、絞り値、ストロボ発光の有無および露出補正のうち少なくとも１つを変更する操作が行われた場合には、ステップ１００１に戻る。このとき、選択されたターゲットマークは消灯し、測距ポイントおよび焦点距離が設定されている場合には、これらの設定は解除される。再び、ファインダー表示部１１６にターゲットマーク１１６ａ〜１１６ｃを表示させたい場合には、構図選択部１１７を操作すればよい。
【００４０】
本実施形態であるカメラにより、ターゲットマークを用いた撮影が簡単になるとともに、良好な撮影を行うことができる。特に、カメラ所有者が予めターゲットマークを決めてから撮影を依頼する場合において、撮影を依頼された者は、カメラ所有者の意図する構図により撮影を行うことができる。
【００４１】
また、ターゲットマークの表示内容を変更可能とすることにより、様々な構図に対応させることができる。
【００４２】
（第２実施形態）
図５ａに本発明の第２実施形態であるカメラの背面図を示す。本実施形態のカメラは、液晶ビューファインダー（ＥＶＦ）をカメラ外装に備えている。
【００４３】
２２はカメラ本体であり、カメラ本体２２の背面に液晶ファインダー２３と、光学ファインダー２４が配置されている。液晶ファインダー２３および光学ファインダー２４のいずれによっても被写体を観察することができる。また、カメラ本体２２の上部にはレリーズボタン２５が配置され、カメラ本体２２の前面には撮影鏡筒２６が配置されている。
【００４４】
ここで、液晶ファインダー２３を用いると、多彩なターゲットマークをファインダーに表示させることができる。本実施形態では、図５ｂから図５ｅに示すように、人物を表す形状に形成されたターゲットマークの数、位置、大きさおよび方向のうち少なくとも１つを変更することができる。すなわち、図５ｂに示すように横に並んで配置されたターゲットマーク１１６ａ〜１１６ｃの中から所望の位置にあるターゲットマークや所望の数（ここでは、１〜３個）のターゲットマークを選択したり、図５ｃに示すようにターゲットマークの大きさを変更したりすることができる。また、図５ｄおよび図５ｅに示すようにターゲットマークの方向も変えることができる。
【００４５】
なお、液晶ファインダー２３には、人物を表す形状に形成されたターゲットマークの他にも、推奨風景を表す形状に形成されたターゲットマークを表示させてもよい。また、人物を表す形状に形成されたターゲットマークおよび推奨風景を表す形状に形成されたターゲットマークの両方を表示するようにしてもよい。
【００４６】
図４に本発明の第２実施形態であるカメラに内蔵された電気回路の構成を示す。
【００４７】
本実施形態における電気回路の構成では、第１実施形態における電気回路の構成のほかに姿勢検出部２１（本願請求項に記載の姿勢検出手段）を備えている。この姿勢検出部２１は、カメラ本体２２の姿勢（カメラ本体２２を横位置で構えているか又は縦位置で構えているか）を検出し、マイコン１１に検出結果を送る。マイコン１１は姿勢検出部２１からの検出結果を受けて、液晶ファインダー２３（ファインダー表示部１１６）に表示させるターゲットマークの方向を変更する。すなわち、カメラ本体２２を横位置で構えている場合には、図５ｂおよび図５ｃに示すターゲットマークが液晶ファインダー２３に表示されるようになり、カメラ本体２２を縦位置で構えている場合には、図５ｄおよび図５ｅに示すターゲットマークが液晶ファインダー２３に表示されるようになる。このように、複数種類用意されたターゲットマークの中からカメラ本体２２の姿勢に応じたターゲットマークだけを表示するようにすることで、ターゲットマークの表示内容を変更するための操作回数が低減し、操作が簡単になる。
【００４８】
次に、本実施形態のカメラにおけるマイクロコンピュータ１１の動作について、図６に示すフローチャートを用いて説明する。
【００４９】
ステップ１００１では、構図選択部１１７が操作されるまで待機しており、構図選択部１１７が操作されるとステップ２００１に進む。
【００５０】
ステップ２００１では、姿勢検出部２１がカメラ本体２２の姿勢を検出することにより、この検出結果に応じたターゲットマークを表示することができるようになる。そして、撮影者の構図選択部１１７の操作により、カメラ本体２２の姿勢に適したいくつかのターゲットマークがファインダー表示部１１６に順次表示される。例えば、姿勢検出部２１によりカメラ本体２２が横位置に構えられていると検出された場合には、図５ｂおよび図５ｃに示すターゲットマークを表示できるようになる。ここで、撮影者が構図選択部１１７を操作することにより、図５ｂに示すターゲットマーク１１６ａ〜１１６ｃのいずれか１つ若しくは２つ、又は全部が順次表示される。さらに撮影者が構図選択部１１７を操作すると、図５ｃに示すターゲットマーク１１６ｄが表示される。撮影者は、所望のターゲットマークが表示されるまで、構図選択部１１７を操作し続ける。
【００５１】
ステップ１００３では、レリーズボタン１１３が半押しされた状態（Ｓ１）にあるかを検知する。レリーズボタン１１３が半押しされた状態にある場合には、ステップ１００４に進み、レリーズボタン１１３が半押しされていない状態にある場合には、ステップ１００１に戻る。ここで、レリーズボタン１１３が半押しされると、構図選択部１１７の操作により選択したターゲットマークの確定が行われる。
【００５２】
ステップ１００４では、測光部１２、測距部１３より情報入力することによって、被写体輝度、被写体までの距離に関する情報を得、既知のフィルム感度と演算して露出値を決定するとともに、閃光発光を行うか否かを決定する。このときの測距ポイントは、構図選択部１１７の操作により選択されたターゲットマークに対応した位置となる。
【００５３】
ステップ１００５では、測距部１３の測距結果をもとに、被写体像が選択されたターゲットマークと重なっているか否かを判断する。そして、被写体像が選択されたターゲットマークと重なっていないと判断された場合、つまり、選択されたターゲットマークに対して被写体像が大きかったり小さかったりする場合には、ズーム駆動部１６を駆動して、被写体像とターゲットマークとが一致するように撮影レンズを光軸方向に進退させる。
【００５４】
ステップ１００６では、被写体像と選択されたターゲットマークが重なっているか否かを判別する。被写体像がターゲットマークに重なっている場合には、ステップ１００７に進む。被写体像がターゲットマークに重なっていない場合、つまり、ステップ１００５における撮影レンズを光軸方向に進退させても被写体像を選択されたターゲットマークに重ねることができない場合には、ステップ１０１１に進む。
【００５５】
ステップ１００７では、レリーズボタン１１３が完全に押し込まれた状態（Ｓ２）にあるかを検知する。レリーズボタン１１３が完全に押し込まれた状態にある場合には、ステップ１００８に進み、レリーズボタン１１３が完全に押し込まれていない状態にある場合には、ステップ１０１３に進む。
【００５６】
ステップ１００８では、ステップ１００４において設定された撮影条件の下で、撮影が行われる。ステップ１００９では、撮影が完了するまで待機し、撮影が完了するとステップ１０１０に進む。
【００５７】
ステップ１０１０では、選択されたターゲットマークを消灯して撮影が完了したことを撮影者に知らせるとともに、測距ポイントと焦点距離の設定を解除してステップ１００１に戻る。ここで、複数コマの撮影が完了したときに、ターゲットマークを消灯するとともに、測距ポイントおよび焦点距離の設定を解除するようにしてもよい。
【００５８】
一方、カメラ本体の電源を切ることによっても、ターゲットマークが消灯するとともに、測距ポイントおよび焦点距離の設定が解除される。このように、撮影が完了するとターゲットマークが消灯するので、ターゲットマークを消灯させるための面倒な操作が不要となる。
【００５９】
ステップ１００６からステップ１０１１に進むと、ステップ１０１１では、選択されたターゲットマークを点滅させる。これは、選択されたターゲットマークに被写体像が重なっておらず、撮影レンズを進退させてもこれを補正できない状態であることを撮影者に警告するためにターゲットマークを点滅させる。なお、ターゲットマークを点滅させる以外にも、例えば「もっと被写体に近づいてください」等の音声を発することにより警告するようにしてもよい。
【００６０】
ステップ１０１２では、レリーズボタン１１３が半押しされた状態（Ｓ１）にあるかを検知する。レリーズボタン１１３が半押しされた状態にある場合には、ステップ１００６に戻り、レリーズボタン１１３が半押しされていない状態にある場合には、ステップ１００１に戻る。ここで、レリーズボタン１１３を半押ししていても、ターゲットマークと被写体像が重なっていない場合には、ステップ１００７へ進まないため、撮影が禁止された状態となる。これにより、不適切な構図で撮影が行われるのを防止することができる。
【００６１】
ステップ１００７からステップ１０１３に進むと、ステップ１０１３では、レリーズボタン１１３が半押しされた状態（Ｓ１）にあるかを検知する。レリーズボタン１１３が半押しされた状態にある場合にはステップ１００７に戻り、レリーズボタン１１３が半押しされていない状態にある場合には、ステップ１００１に戻る。
【００６２】
上述したマイコン１１の動作の途中で、焦点距離、測距位置、露光時間、絞り値、ストロボ発光の有無および露出補正のうち少なくとも１つを変更する操作が行われた場合には、ステップ１００１に戻る。これにより、ターゲットマークは消灯する。また、測距ポイント、焦点距離、閃光発光の有無等が自動設定されている場合には、この設定が解除される。
【００６３】
本実施形態においても第１実施形態と同様の効果が得られる。特に、本実施形態では、カメラ本体の姿勢に応じてターゲットマークを表示できるようにしているため、ターゲットマークを変更する操作回数が低減し、操作がより簡単となる。
【００６４】
（第３実施形態）
図７に本発明の第３実施形態であるカメラに内蔵された電気回路の構成を示す。本実施形態では、第２実施形態における電気回路の構成のほかに撮影位置・方向・時間検出部３１（本願請求項に記載の位置検出手段、方向検出手段、日時情報出力手段）および構図記憶部３２（本願請求項に記載の記憶手段）を備えている。
【００６５】
撮影位置・方向・時間検出部３１は、撮影場所、撮影方向を検出してこの検出結果を構図記憶部３２に送るとともに、撮影時間（日付を含む）を示す情報を構図記憶部３２に出力する。具体的には、撮影位置・方向・時間検出部３１は、グローバルポジショニングシステム（ＧＰＳ）を用いて撮影場所を検出したり、コンパスを用いて撮影方向を検出したり、標準時間をカウントする時計を用いて撮影時間を示す情報を出力したりする。
【００６６】
構図記憶部３２は、全世界の主要な観光地において、各時間および各方向から見たときの推奨構図が記憶されており、撮影位置・方向・時間検出部３１からの検出結果に応じた推奨構図に関する情報をマイコン１１に送る。なお、構図記憶部３２に記憶しておく推奨構図は、適宜定めることができる。
【００６７】
なお、本実施形態のカメラは、第２実施形態において説明したカメラと同様に、カメラ本体の背面に液晶ファインダー２３（ファインダー表示部１１６）が配置されている。
【００６８】
次に、本実施形態におけるマイクロコンピュータ１１の動作について、図９および図１０に示すフローチャートを用いて説明する。
【００６９】
ステップ１００１では、構図選択部１１７が操作されるまで待機しており、構図選択部１１７が操作されるとステップ３００１に進む。
【００７０】
ステップ３００１では、撮影位置・方向・時間検出部３１により撮影場所、撮影方向が検出されるとともに、撮影時間を示す情報が出力される。また、姿勢検出部２１によりカメラ本体の姿勢が検出される。例えば、京都の金閣寺において太陽がある方向に向かって撮影を行う場合には、撮影場所が京都の金閣寺であることがＧＰＳにより検出されるとともに、撮影方向が太陽がある方向であることがコンパスにより検出される。また、撮影時間が秋の夕方である場合には、この情報が出力される。
【００７１】
ステップ３００２では、構図記憶部３２に記憶された推奨構図のうち撮影位置・方向・時間検出部３１の検出結果に応じた幾つかの推奨構図をリストとして液晶ファインダー２３に表示する。例えば、図８ａに示すように、撮影場所が京都の金閣寺における推奨構図のリストとして、「池のほとり」「金閣寺のアップ」「入り口で」「紅葉と一緒」といったようなリストが液晶ファインダー２３に表示される。ここでは、撮影時間が秋の夕方であり、かつ、撮影方向が太陽の方向である場合として、推奨構図のリストに葉を光に透かした紅葉を表す「紅葉と一緒」を加えている。
【００７２】
ステップ３００３では、構図選択モードとなり、撮影者は構図選択部１１７を操作することにより、液晶ファインダー２３に表示された推奨構図のリストの中から所望の推奨構図を選択する。ステップ３００４では、レリーズボタンが半押しされた状態（Ｓ１）にあるかを検知する。レリーズボタンが半押しされた状態にある場合には、ステップ３００５に進み、レリーズボタンが半押しされていない状態にある場合には、ステップ３００３に戻る。
【００７３】
ステップ３００５では、推奨構図のリストの中から選択された推奨構図の確定を行い、この確定された推奨構図を液晶ファインダー２３に表示する。ここで、液晶ファインダー２３に表示される推奨構図は、姿勢検出部２１の検出結果に応じた方向に表示される。また、表示される推奨構図には、風景を表す形状に形成された風景マーク（風景ターゲットマーク）と人物を表す形状に形成された人物マークが表示され、人物マークは風景マークに対して推奨される位置に予め配置されている。例えば、図８ａに示す推奨構図のリストの中から「池のほとり」を選択してレリーズボタン１１３を半押しすると、「池のほとり」が推奨構図として確定し、液晶ファインダー２３には図８ｂに示すように、金閣寺と池を表す形状に形成された風景マーク３３と人物マーク１１６ｊが表示される。ここで、人物マーク１１６ｊは、風景マーク３３に対して右側に予め配置されている。
【００７４】
ステップ３００６では、構図選択部１１７が操作されたか否かを判別する。構図選択部１１７が操作された場合には、ステップ３００７に進み、構図選択部１１７が操作されない場合には、ステップ３０１０に進む。
【００７５】
ステップ３００７では、撮影人数入力モードとなり、液晶ファインダー２３に人物マークが表示される。ここで、撮影者は構図選択部１１７を操作することで、人物マークの表示内容を変更する。例えば、撮影者が構図選択部１１７を操作し続けると、図８ｃに示す人物マーク１１６ｊ１〜１１６ｊ３のうち１つ以上が表示されるようになり、人物マークの数を変更することができる。なお、液晶ファインダー２３に表示される人物マークの数は適宜設定することができる。
【００７６】
ステップ３００８では、レリーズボタンが半押しされた状態（Ｓ１）にあるかを検知する。レリーズボタンが半押しされた状態にある場合には、ステップ３００９に進み、レリーズボタンが半押しされていない状態にある場合にはステップ３００７に戻る。
【００７７】
ステップ３００９では、撮影者の構図選択部１１７の操作により変更された人物マークの確定を行い、この確定した人物マークと背景マークとを重ねて液晶ファインダー２３に表示する。このとき、液晶ファインダー２３には、人物マークおよび背景マークの他に、撮影レンズから取り込まれる被写体像も表示される。例えば、構図選択部１１７の操作により、人物マークの数を２つとして確定すると、図８ｄに示すように風景マーク３３と２つの人物マーク１１６ｊ１、１１６ｊ２が液晶ファインダー２３に表示される。
【００７８】
ステップ３００６からステップ３０１０に進むと、ステップ３０１０では、レリーズボタンが半押しされた状態（Ｓ１）にあるかを検知する。レリーズボタンが半押しされた状態にある場合にはステップ３０１１に進み、レリーズボタンが半押しされていない状態にある場合には、ステップ３００６に戻る。
【００７９】
ステップ３０１１では、撮影人数をデフォルト値（推奨初期値、本実施形態では撮影人数が一人）に設定してステップ３００９に進む。
【００８０】
ステップ３００９からステップ１００３に進むと、ステップ１００３では、レリーズボタンが半押しされた状態（Ｓ１）にあるかを検知する。レリーズボタンが半押しされた状態にある場合には、ステップ１００４に進み、レリーズボタンが半押しされていない状態にある場合にはステップ１００１に戻る。
【００８１】
ステップ１００４では、測光部１２、測距部１３より情報入力することによって、被写体輝度、被写体までの距離に関する情報を得、既知のフィルム感度と演算して露出値を決定するとともに、閃光発光を行うか否かを決定する。ここで、測距を行うときの測距ポイントは、構図選択部１１７の操作により選択されたターゲットマークに対応した位置となる。例えば、図８ｄに示す状態においては、人物マーク１１６ｊ１、１１６ｊ２のそれぞれに応じた測距ポイントをもとに測距が行われる。
【００８２】
ステップ３０１２では、撮影場所、撮影時間および撮影方向に応じた露光時間や絞り値となるように露出補正を行うとともに、ストロボ発光の行うか否かの判断を行う。例えば、図８ｄに示す状態において、夕方で太陽が斜めであり、カメラが太陽の方向を向いているとすると、逆光シーンとなるのでストロボは強制発光するように自動設定する。また、夕方の雰囲気を出すために露出を１段アンダーとして自動設定する。なお、図８ａに示す推奨構図のリストの中から「紅葉と一緒」を選択した場合であって逆光シーンの場合には、逆光で葉に光の透けた状態で撮影を行うために、露出を１．５段オーバーに自動設定することもできる。
【００８３】
また、ステップ３０１２では、測距部１３の測距結果をもとに被写体像が確定した人物マークと重なっているか否かを判断し、被写体像がこの人物マークと重なっていないと判断された場合、つまり、人物マークに対して被写体像が大きかったり小さかったりする場合には、ズーム駆動部１６を駆動して、被写体像と人物マークの大きさが一致するように撮影レンズを光軸方向に進退させる。
【００８４】
ステップ１００６では、被写体像と選択された人物マークが重なっているか否かを判別する。被写体像が人物マークに重なっている場合には、ステップ１００７に進む。また、被写体像が人物マークに重なっていない場合、つまり、ステップ３０１２における撮影レンズを光軸方向に進退させても被写体像を人物マークに重ねることができない場合にはステップ１０１１に進む。
【００８５】
ステップ１００７では、レリーズボタン１１３が完全に押し込まれた状態（Ｓ２）にあるかを検知する。レリーズボタン１１３が完全に押し込まれた状態にある場合には、ステップ１００８に進んで撮影が行われる。また、レリーズボタン１１３が完全に押し込まれていない状態にある場合には、ステップ１０１３に進む。
【００８６】
ステップ１００９では、撮影が完了するまで待機し、撮影が完了するとステップ１０１０に進む。ステップ１０１０では、選択されたターゲットマークを消灯して撮影が完了したことを撮影者に知らせるとともに、測距ポイントと焦点距離の設定を解除してステップ１００１に戻る。ここで、複数コマの撮影が完了したときに、ターゲットマークを消灯するとともに、測距ポイントおよび焦点距離の設定を解除するようにしてもよい。
【００８７】
一方、カメラ本体の電源を切ることによっても、ターゲットマークが消灯するとともに、測距ポイントおよび焦点距離の設定が解除される。このように、撮影が完了するとターゲットマークが消灯するので、ターゲットマークを消灯させるための面倒な操作が不要となる。
【００８８】
ステップ１００６からステップ１０１１に進むと、ステップ１０１１では選択されたターゲットマークを点滅させる。これは、選択されたターゲットマークに被写体像が重なっておらず、撮影レンズを光軸方向に進退させてもこれを補正することができない状態であることを撮影者に警告するためにターゲットマークを点滅させる。なお、ターゲットマークを点滅させる以外にも、例えば「もっと被写体に近づいてください」等の音声を発することにより警告するようにしてもよい。
【００８９】
ステップ１０１２では、レリーズボタン１１３が半押しされた状態（Ｓ１）にあるかを検知する。レリーズボタン１１３が半押しされた状態にある場合には、ステップ１００６に戻り、レリーズボタン１１３が半押しされていない状態にある場合には、ステップ１００１に戻る。ここで、レリーズボタン１１３を半押ししていてもターゲットマークと被写体像が重なっていない場合には、ステップ１００７へ進まないため、撮影が禁止された状態となる。これにより、不適切な構図で撮影が行われるのを防止することができる。
【００９０】
ステップ１００７からステップ１０１３に進むと、ステップ１０１３では、レリーズボタン１１３が半押しされた状態（Ｓ１）にあるかを検知する。レリーズボタン１１３が半押しされた状態にある場合にはステップ１００７に戻り、レリーズボタン１１３が半押しされていない状態にある場合には、ステップ１００１に戻る。
【００９１】
上述したマイコン１１の動作の途中で、焦点距離、測距位置、露光時間、絞り値、ストロボ発光の有無および露出補正のうち少なくとも１つを変更する操作が行われた場合には、ステップ１００１に戻る。このとき、選択されたターゲットマークは消灯し、測距ポイントおよび焦点距離が設定されている場合には、これらの設定は解除される。
【００９２】
本実施形態においても第１実施形態と同様の効果が得られるが、特に本実施形態では、撮影場所、撮影方向および撮影時間に応じて自動的に幾つかの推奨構図が決定されるので、ターゲットマークを表示させるための操作がより簡単になる。
【００９３】
なお、本実施形態では、撮影場所、撮影方向および撮影時間に応じて自動的に推奨構図を表示するようにしているが、撮影者の操作により推奨構図を液晶ファインダー２３に表示するようにしてもよい。
【００９４】
【発明の効果】
本発明のカメラによれば、撮影構図に合わせた様々なターゲットマークを選択することができる。例えば、撮影観察画面内におけるターゲットマークの位置、大きさ、数などを変更することができる。
【００９５】
また、撮影場所を検出する位置検出手段を有することで、撮影場所に応じたターゲットマークを自動選択することができるため、ターゲットマークの表示内容を変更するための操作が容易となる。ここで、撮影方向を検出する方向検出手段や、日時および時刻のうち少なくとも一方を示す情報を出力する日時情報出力手段や、カメラ本体の姿勢を検出する姿勢検出手段を備え、これらの検出結果等に応じたターゲットマークを自動選択するようにしても同様の効果が得られる。
【００９６】
さらに、本発明のカメラは、選択したターゲットマークに被写体像が重なった状態で撮影を行うための撮影条件を自動に設定するため、適切な撮影構図において良好な写真を撮ることができる。
【図面の簡単な説明】
【図１】  第１実施形態におけるカメラの回路ブロック図。
【図２】  ターゲットマークが表示されたファインダー表示部。
【図３】  第１実施形態を説明するフローチャート。
【図４】  第２実施形態におけるカメラの回路ブロック図。
【図５】  （ａ）  第２実施形態におけるカメラの背面斜視図。
（ｂ）〜（ｅ）  ターゲットマークが表示された液晶ファインダー。
【図６】第２実施形態を説明するフローチャート。
【図７】第３実施形態におけるカメラの回路ブロック図。
【図８】（ａ）  推奨構図のリストが表示された液晶ファインダー。
（ｂ）（ｄ）  人物マーク及び風景マークが表示された液晶ファインダー。（ｃ）  人物マークが表示された液晶ファインダー。
【図９】第３実施形態を説明するフローチャート。
【図１０】第３実施形態を説明するフローチャート。
【図１１】ターゲットマークが表示されたファインダー表示部。
【符号の説明】
１１  マイクロコンピュータ（マイコン）
１１０  露出補正部
１１１  ストロボモード入力部
１１２  撮影モード入力部
１１３  レリーズボタン
１１４  カメラメインスイッチ
１１５  ＡＦ駆動部
１１６  ファインダー表示部
１１７  構図選択部
１２  測光部
１３  測距部
１４  シャッター駆動部
１５  ズーム操作部
１６  ズーム駆動部
１７  閃光部
１８  防振スイッチ
１９  振動検出部
２１  姿勢検出部
２２  カメラ本体
２３  液晶ファインダー
２４  光学ファインダー
２５  レリーズボタン
２６  撮影鏡筒
３１  撮影位置・方向・時間検出部
３２  構図記憶部
【図１】
0004497698.tif 000002
【図２】
0004497698.tif 000003
【図３】
0004497698.tif 000004
【図４】
0004497698.tif 000005
【図５】
0004497698.tif 000006
【図７】
0004497698.tif 000007
【図８】
0004497698.tif 000008
【図１０】
0004497698.tif 000009
【図１１】
0004497698.tif 000010
【図６】
0004497698.tif 000011
【図９】
0004497698.tif 000012